(57)【要約】【課題】振動が生じる箇所でも高い制動力を発揮できる電動アクチュエータを提供する。【解決手段】モータ部２と、モータ部２の回転運動を直線運動に変換する運動変換機構とを備える電動アクチュエータにおいて、運動変換機構を、ねじ軸１４とこれに螺合するナット１５とを有するすべりねじ機構３で構成し、モータ部２とは反対の出力側からの逆入力に対してすべりねじ機構３の正逆両方向の回転を防止する逆入力遮断クラッチ４を設けた。【選択図】図１
2019058032.tif 000002
【特許請求の範囲】
【請求項１】
モータ部と、前記モータ部の回転運動を直線運動に変換する運動変換機構とを備える電動アクチュエータにおいて、
前記運動変換機構を、ねじ軸とこれに螺合するナットとを有するすべりねじ機構で構成し、
前記モータ部とは反対の出力側からの逆入力に対して前記すべりねじ機構の正逆両方向の回転を防止する逆入力遮断クラッチを設けたことを特徴とする電動アクチュエータ。
【請求項２】
前記逆入力遮断クラッチは、
前記モータ部からの入力によって回転する入力部材と、
前記入力部材の回転に伴って回転してその回転力を前記すべりねじ機構へ出力する出力部材と、
回転しないように固定された静止部材と、
前記モータ部から入力される駆動時に、回転する前記入力部材によって前記静止部材と前記出力部材とに対する係合が解除されて前記出力部材の回転を許容し、前記モータ部から入力されない停止時に、前記静止部材と前記出力部材とに係合して前記出力部材の正逆両方向の回転を防止するロック部材とを有する請求項１に記載の電動アクチュエータ。
【請求項３】
前記モータ部の回転運動を減速して伝達する減速機を備え、
前記逆入力遮断クラッチを、前記減速機よりも出力側に配置した請求項２に記載の電動アクチュエータ。
【請求項４】
前記出力部材と前記すべりねじ機構のナットとを一体成型した請求項２又は３に記載の電動アクチュエータ。
【請求項５】
前記すべりねじ機構のねじ軸とナットの少なくとも一方のねじ溝の表面を、摺動性樹脂で被覆した請求項１から４のいずれか１項に記載の電動アクチュエータ。
【請求項６】
前記すべりねじ機構のねじ軸を、前記モータ部と前記逆入力遮断クラッチとの内径側に配置した請求項１から５のいずれか１項に記載の電動アクチュエータ。
【発明の詳細な説明】
【技術分野】
【０００１】
本発明は、電動アクチュエータに関する。
【背景技術】
【０００２】
近年、車両等の省力化、低燃費化のために電動化が進み、例えば、自動車の自動変速機やブレーキ、ステアリング等の操作を電動機の力で行うシステムが開発され、市場に投入されている。このような用途に使用されるアクチュエータとして、電動機の回転運動を直線方向の運動に変換するボールねじ機構を用いた電動リニアアクチュエータが知られている（特許文献１、２参照）。
【先行技術文献】
【特許文献】
【０００３】
【特許文献１】特開２０１５−７５２００号公報
【特許文献２】特開２０１５−８６９３１号公報
【発明の概要】
【発明が解決しようとする課題】
【０００４】
ボールねじ機構は、モータからの回転運動を直線運動に変換して伝達する際の動力伝達効率（正効率）が非常に良いといった長所がある。しかしながら、逆効率、すなわち直線運動を回転運動に変換して伝達する際の動力伝達効率も良いため、ボールねじ機構を用いた電動アクチュエータにおいては、操作対象側（出力側）からボールねじ機構に直線運動方向の負荷が加わると、ボールねじ機構が回転し、出力軸（ボールねじ軸）の制動状態を維持しにくいといった短所がある。
【０００５】
これに対して、すべりねじ機構は、一般的にボールねじ機構に比べて正効率及び逆効率が、共に低い特徴がある。特に、ねじ部のリード角を小さくした場合（例えば、リード角が０〜５°の場合）は、逆効率が０％、すなわち出力側からの逆入力があっても回転しないセルフロック機能が働く。従って、このような性質のすべりねじ機構を電動アクチュエータに用いることで、逆入力に対する制動力を高めることができる。
【０００６】
しかしながら、エンジンや走行中の車体などで発生する振動がすべりねじ機構に伝達されると、その振動によってすべりねじ機構のナットが徐々に逆回転し、高い制動力を維持することができない場合があった。
【０００７】
そこで、本発明は、振動が生じる箇所でも高い制動力を発揮できる電動アクチュエータを提供することを目的とする。
【課題を解決するための手段】
【０００８】
上記課題を解決するため、本発明は、モータ部と、モータ部の回転運動を直線運動に変換する運動変換機構とを備える電動アクチュエータにおいて、運動変換機構を、ねじ軸とこれに螺合するナットとを有するすべりねじ機構で構成し、モータ部とは反対の出力側からの逆入力に対してすべりねじ機構の正逆両方向の回転を防止する逆入力遮断クラッチを設けたことを特徴とする。
【０００９】
このように、本発明に係る電動アクチュエータにおいては、運動変換機構としてボールねじ機構よりも逆入力に対する制動力の高いすべりねじ機構を用い、さらに、逆入力遮断クラッチを備えていることで、モータ部に対する通電が止められた状態（停止時）であっても、出力側からの逆入力に対するすべりねじ機構の回転を高度に防止できるようになる。しかも、逆入力遮断クラッチは、逆入力に対する一方向の回転だけではなく正逆両方向の回転を防止するので、電動アクチュエータに振動が伝達されたとしても、逆入力遮断クラッチによるロック状態（すべりねじ機構の回転防止状態）を確実に保持することができる。これにより、再始動する際にすべりねじ機構の位置を保持することができ、正確な位置制御が可能な電動アクチュエータを提供することができる。
【００１０】
逆入力遮断クラッチとしては、モータ部からの入力によって回転する入力部材と、入力部材の回転に伴って回転してその回転力をすべりねじ機構へ出力する出力部材と、回転しないように固定された静止部材と、モータ部から入力される駆動時に、回転する入力部材によって静止部材と出力部材とに対する係合が解除されて出力部材の回転を許容し、モータ部から入力されない停止時に、静止部材と出力部材とに係合して出力部材の正逆両方向の回転を防止するロック部材とを有するものを採用することができる。
【００１１】
また、モータ部の回転運動を減速して伝達する減速機を備える場合は、逆入力遮断クラッチを、減速機よりも出力側に配置することが好ましい。
【００１２】
逆入力遮断クラッチにおいて、ロック部材の係合状態（ロック状態）が解除された際に、逆入力を受けて出力部材が入力部材と同方向にかつ入力部材よりも速く回転すると、ロック部材が再び出力部材と静止部材との間で係合する「追いつきロック」と称される現象が発生する場合がある。このとき、ロック部材の係合とその解除が繰り返し行われることで異音（振動）が発生する。しかしながら、上記のように、逆入力遮断クラッチを減速機よりも出力側に配置することで、反対に逆入力遮断クラッチを減速機よりも入力側に配置する構成に比べて、逆入力遮断クラッチの入力部材と出力部材との回転速度差を小さくすることができ、追いつきロックが発生した場合の異音（振動）を低減できるようになる。
【００１３】
出力部材とすべりねじ機構のナットとを一体成型してもよい。
【００１４】
このように、出力部材とナットとを一体成型することで、これらの組付け作業が不要となり、製造コストの低減を図れる。
【００１５】
すべりねじ機構のねじ軸とナットの少なくとも一方のねじ溝の表面を、摺動性樹脂で被覆して、すべりねじ機構の動力伝達効率を向上させてもよい。
【００１６】
また、すべりねじ機構のねじ軸を、モータ部と逆入力遮断クラッチとの内径側に配置することで、これらの内径側空間をねじ軸の配置スペースとして利用し、電動アクチュエータの軸方向寸法の小型化を図りつつ、ねじ軸の軸方向の最大移動距離を長く確保することができる。
【発明の効果】
【００１７】
本発明によれば、振動が生じる箇所で用いられても逆入力に対する制動力の高い電動アクチュエータを提供することができる。
【図面の簡単な説明】
【００１８】
【図１】本発明の実施の一形態に係る電動アクチュエータの縦断面図である。
【図２】図１のＡ−Ａ線で矢視した逆入力遮断クラッチの縦断面図である。
【図３】逆入力遮断クラッチのロック状態を示す図である。
【図４】逆入力遮断クラッチのロック解除状態を示す図である。
【図５】逆入力遮断クラッチでトルク伝達が行われている状態を示す図である。
【図６】本発明の他の実形態に係る電動アクチュエータの縦断面図である。
【図７】図６のＢ−Ｂ線で矢視した減速機の縦断面図である。
【図８】（ａ）は、逆入力遮断クラッチに対して減速後の回転が入力される場合の、モータ部側からの入力回転数と出力側からの逆入力回転数との速度差を説明するための図、（ｂ）は、逆入力遮断クラッチに対して減速前の回転が入力される場合の、前記速度差を説明するための図である。
【発明を実施するための形態】
【００１９】
以下、添付の図面に基づき、本発明について説明する。なお、本発明を説明するための各図面において、同一の機能もしくは形状を有する部材や構成部品等の構成要素については、判別が可能な限り同一符号を付すことにより一度説明した後ではその説明を省略する。
【００２０】
図１は、本発明の実施の一形態に係る電動アクチュエータの縦断面図である。
【００２１】
図１に示す電動アクチュエータ１は、モータ部２と、モータ部２の回転運動を直線運動に変換する運動変換機構としてのすべりねじ機構３と、モータ部２とは反対の出力側からの逆入力トルクを遮断する逆入力遮断クラッチ４とを主な構成としている。
【００２２】
モータ部２は、ステータ５とロータ６とからなる電動モータと、電動モータを収容するモータケース７とを備える。モータケース７は、組み立ての都合上、二分割されており、ステータ５及びロータ６の主要部分を収容する筒状のケース本体部８と、ケース本体部８の一端部（図１における右端部）の開口部を閉鎖するケース蓋部９とで構成されている。ケース蓋部９には、ステータ５やセンサ等に動力線あるいは信号線を接続するためのコネクタ部１０が設けられている。
【００２３】
ステータ５は、ケース本体部８の内周面に回転しないように固定されており、軸方向に積層した複数の電磁鋼板で形成されたステータコア５ａと、ステータコア５ａに装着された絶縁材料からなるボビン５ｂと、ボビン５ｂに巻回されたステータコイル５ｃとで構成されている。
【００２４】
ロータ６は、ステータ５の径方向内側に隙間を介して対向するように配置されており、環状のロータコア６ａと、ロータコア６ａの外周面に取り付けられた複数のマグネット６ｂと、ロータコア６ａの内周面に固定された環状のロータインナ６ｃとで構成されている。ロータコア６ａは、例えば軸方向に積層した複数の電磁鋼板で形成される。ロータインナ６ｃの軸方向長さはロータコア６ａの軸方向長さよりも長く、ロータコア６ａの軸方向両側にロータインナ６ｃが突出している。この軸方向両側に突出するロータインナ６ｃの両端部の外周面にはそれぞれ軸受１１，１２が装着されている。本実施形態では、一方（図１において左側）の軸受１１が、ロータインナ６ｃの軸方向一端部とケース本体部８との間に配置され、他方（図１において右側）の軸受１２が、ロータインナ６ｃの軸方向他端部とケース蓋部９との間に配置されている。このように、ロータインナ６ｃとモータケース７との間に介在する各軸受１１，１２によって、ロータインナ６ｃはモータケース７に対して回転可能に支持されている。
【００２５】
逆入力遮断クラッチ４は、モータケース７とは別の筒状のクラッチケース１３内に収容されている。また、クラッチケース１３の内周側には、２つの軸受１６，１７が収容されており、これらの軸受１６，１７によってすべりねじ機構３が支持されている。クラッチケース１３とモータケース７（ケース本体部８及びケース蓋部９）は、それぞれボルト等の締結手段を用いて一体的に固定されている。
【００２６】
すべりねじ機構３は、外周面にねじ溝が形成されたねじ軸１４と、ねじ軸１４に対して螺合するねじ溝を内周面に有する円筒状のナット１５とで構成されている。ねじ軸１４及びナット１５は、ロータインナ６ｃと同軸上に配置されている。ナット１５は、その外周面とクラッチケース１３の内周面との間に配置された２つの軸受１６，１７によって回転可能に支持されている。これに対して、ねじ軸１４は、図示しない回り止め手段によって回転しないように規制されており、ナット１５が回転することで軸方向に進退する。ねじ軸１４の先端部（図１における左端部）には、操作対象である図示しない使用機器の対応部位と連結するための孔部（連結部）１４ａが設けられており、ねじ軸１４が軸方向に進退することで使用機器が操作される。また、本実施形態では、図１に示すように、少なくともねじ軸１４が最大限に後退した状態で、ねじ軸１４はモータ部２と逆入力遮断クラッチ４との内径側に配置される。このようにすることで、モータ部２と逆入力遮断クラッチ４との内径側空間をねじ軸１４の収容スペースとして利用でき、電動アクチュエータの軸方向寸法の小型化を図りつつ、ねじ軸の軸方向の最大移動距離を長く確保することが可能となる。
【００２７】
また、ねじ軸１４の先端部側には、電動アクチュエータ１内に埃等の異物や水が侵入するのを防止するブーツ１８が装着されている。ブーツ１８は、小径端部１８ａと大径端部１８ｂとこれらを繋いで軸方向に伸縮する蛇腹部１８ｃとで構成され、小径端部１８ａがねじ軸１４の外周面に固定され、大径端部１８ｂがクラッチケース１３の外周面に固定されている。
【００２８】
ここで、図２は、図１のＡ−Ａ線で矢視した逆入力遮断クラッチ４の縦断面図である。
以下、図１及び図２を参照しつつ逆入力遮断クラッチ４の構成について説明する。
【００２９】
逆入力遮断クラッチ４は、入力部材１９と、出力部材２０と、静止部材としての外輪２１と、ロック部材としてのローラ２２とを備える。
【００３０】
入力部材１９は、ロータインナ６ｃの端部外周面に固定され、ロータインナ６ｃと一体的に回転するように構成されている。入力部材１９の外周側には、複数のポケット１９ａ（図２参照）が形成されており、各ポケット１９ａにはローラ２２が２つずつ収容されている。また、各ポケット１９ａ内の一対のローラ２２の間には、ばね部材２３が収容されている。一対のローラ２２は、ばね部材２３によって互いに周方向に離反するように押圧されている。
【００３１】
出力部材２０は、すべりねじ機構３のナット１５の外周面に一体に設けられている。このように、出力部材２０とナット１５とを一体成型することで、これらの組付け作業が不要となる。なお、出力部材２０とナット１５とを別体で構成しても構わない。出力部材２０には、複数の孔部２０ａが形成されており、各孔部２０ａには入力部材１９に設けられた軸方向に突出する凸部１９ｂが挿入されている。モータ部２からの入力によって入力部材１９が回転すると、凸部１９ｂが孔部２０ａの縁に接触することにより出力部材２０に回転が伝達される。なお、本実施形態とは反対に、凸部を出力部材２０に設け、孔部を入力部材１９に形成してもよい。また、孔部２０ａは、図１に示すような貫通孔のほか、底部を有する孔（凹部）であってもよい。
【００３２】
出力部材２０の外周面は、入力部材１９のポケット１９ａが設けられた部分の内周面と対向するように配置されている。出力部材２０の外周面のうち、各ポケット１９ａに対応する部分には、２つの平面を突き合わせた凸状のクラッチ面（カム面）２０ｂが形成されている。
【００３３】
外輪２１は、円筒状に形成され、クラッチケース１３の内周面に回転しないように固定されている。外輪２１の内周面２１ａと出力部材２０のクラッチ面２０ｂとの間には、周方向（回転方向）の両端側でローラ２２の直径よりも幅が小さくなる楔状隙間２４が形成され、この楔状隙間２４内にローラ２２が収容されている。
【００３４】
上記逆入力遮断クラッチ４の構成をまとめると下記の通りである。
すなわち、逆入力遮断クラッチ４は、モータ部２のロータインナ６ｃと一体的に回転するように構成された入力部材１９と、すべりねじ機構３のナット１５と一体的に回転するように構成された出力部材２０と、入力部材１９と出力部材２０の一方に設けられた孔部と、この孔部の縁に接触することにより入力部材１９から出力部材２０へ回転を伝達するように入力部材１９と出力部材２０の他方に設けられた凸部と、回転しないように固定された静止部材としての外輪２１と、入力部材１９に設けられたポケット１９ａと、ポケット１９ａに対応する部分で出力部材２０の外周面に設けられたクラッチ面（カム面）２０ｂと、外輪２１の内周面２１ａと出力部材２０のクラッチ面２０ｂとの間に周方向の両端側で幅が小さくなるように形成された楔状隙間２４と、楔状隙間２４内に収容されたロック部材としての一対のローラ２２と、一対のローラ２２を互いに周方向に離反するように押圧するばね部材２３とを有する。
【００３５】
続いて、上記逆入力遮断クラッチ４の機能を中心に、本実施形態に係る電動アクチュエータの動作について説明する。
【００３６】
まず、図３に示す状態は、モータ部が駆動していない停止状態である。この状態では、一対のローラ２２は、ばね部材２３によってそれぞれ楔状隙間２４の縮小方向に押圧され、出力部材２０のクラッチ面２０ｂと外輪２１の内周面２１ａの双方に係合して出力部材２０の回転を阻止するロック状態にある。また、この状態では、入力部材１９のポケット１９ａを構成する孔面１９ｃと各ローラ２２との間に回転方向隙間δ１が存在する。この回転方向隙間δ１は、入力部材１９の凸部１９ｂと出力部材２０の孔部２０ａとの間の回転方向隙間δ２よりも小さく設定されている（δ１＜δ２）。
【００３７】
上記停止状態からモータ部が駆動を開始し、ロータインナが回転すると、これと一体的に入力部材１９が回転する。例えば、図４に示すように、入力部材１９が図の時計方向に回転し始めると、回転方向隙間が上記のように（δ１＜δ２に）設定されているため、まず、入力部材１９の孔面１９ｃが回転方向後方のローラ２２に接触する。このとき、入力部材１９の凸部１９ｂは、出力部材２０の孔部２０ａの孔面に対しては接触していない。そして、回転方向後方のローラ２２が、入力部材１９の孔面１９ｃによって時計方向に押され、ばね部材２３の弾性力に抗して楔状隙間２４内で移動すると、出力部材２０と外輪２１とに対する回転方向後方のローラ２２の係合（ロック状態）が解除される。なお、回転方向前方のローラ２２は、時計方向への回転に対するロックには寄与していない。これにより、出力部材２０は時計方向の回転が許容された状態となる。
【００３８】
そして、図５に示すように、入力部材１９がさらに時計方向に回転すると、入力部材１９の凸部１９ｂが出力部材２０の孔部２０ａの孔面に対して接触する。これにより、入力部材１９から時計方向の入力トルクが出力部材２０に伝達され、出力部材２０が時計方向に回転する。
【００３９】
このように、入力部材１９の回転に伴って出力部材２０が回転すると、出力部材２０と一体成型されたすべりねじ機構３のナット１５（図１参照）が回転し、ねじ軸１４が軸方向の一方（前進方向又は後退方向）へ移動する。反対に、図３に示す停止状態から、入力部材１９が反時計方向に回転した場合は、上記とは逆の動作で出力部材２０が反時計方向に回転し、これに伴って、ねじ軸１４が軸方向の他方へ移動する。その後、モータ部からの入力がなくなって駆動が停止すると、ばね部材２３の弾性力によって一対のローラ２２が出力部材２０のクラッチ面２０ｂと外輪２１の内周面２１ａとに対して係合するロック状態に戻される。
【００４０】
ここで、図３に示すロック状態において、操作対象側（出力側）からすべりねじ機構のねじ軸に対して直線運動方向の逆入力が作用した場合、その逆入力は、ねじ軸、ナットを順に介して逆入力遮断クラッチの出力部材に伝達される。しかしながら、このとき、出力部材はロック状態にあるので、逆入力による出力部材の回転は防止される。具体的に、図３において、出力部材２０に対して時計方向の逆入力トルクが作用した場合は、時計方向後方のローラ２２が出力部材２０と外輪２１とに対して係合していることで、出力部材２０の時計方向の回転が防止される。反対に、出力部材２０に対して反時計方向の逆入力が作用した場合は、反時計方向後方のローラ２２が出力部材２０と外輪２１とに対して係合していることで、出力部材２０の反時計方向の回転が防止される。このように、ロック状態では、逆入力に対して出力部材の正逆両方向の回転が防止されるので、出力部材と一体のすべりねじ機構のナットの正逆両方向の回転も防止される。これにより、ねじ軸を所定の軸方向位置に保持しておくことができる。
【００４１】
続いて、本発明の電動アクチュエータの他の実施形態について、上記実施形態とは異なる部分を中心に説明する。なお、以下に説明する実施形態において、上記実施形態と基本的に同様の機能あるいは形状の部材については、同一の符号を付すことによりその説明を省略する。
【００４２】
図６は、本発明の他の実施形態に係る電動アクチュエータの縦断面図である。
【００４３】
図６に示す電動アクチュエータ１は、モータ部２と逆入力遮断クラッチ４との間に減速機２６を備えている。減速機２６は、筒状の減速機ケース２５内に収容されており、減速機ケース２５は、モータケース７とクラッチケース１３との間でボルト等の締結手段を用いてこれらのケース７，１３と一体的に固定されている。
【００４４】
図７は、図６のＢ−Ｂ線で矢視した減速機２６の縦断面図である。
以下、図６及び図７を参照しつつ減速機２６の構成及び動作について詳しく説明する。
【００４５】
減速機２６は、入力回転体としての太陽ギヤ２７と、太陽ギヤ２７の外周に配置された軌道リングとしてのリングギヤ２８と、太陽ギヤ２７とリングギヤ２８との間に回転可能に配置された遊星回転体しての複数の遊星ギヤ２９と、各遊星ギヤ２９を保持する出力回転体としてのキャリア３０とを有する、遊星ギヤ減速機である。
【００４６】
太陽ギヤ２７は、ロータインナ６ｃの外周面に対して同軸上に固定され、ロータインナ６ｃと一体的に回転する。各遊星ギヤ２９は、太陽ギヤ２７とリングギヤ２８との間に配置され、これらと噛み合うように組み付けられている。また、各遊星ギヤ２９は、キャリア３０に設けられた支軸３１に対して軸受３２を介して回転可能に取り付けられている。キャリア３０は、逆入力遮断クラッチ４の入力部材１９の内周面に挿入されて固定されており、入力部材１９と一体的に回転する。
【００４７】
上記のような減速機２６を備える電動アクチュエータ１において、モータ部２が駆動を開始し、ロータインナ６ｃが回転すると、これと一体的に減速機２６の太陽ギヤ２７が回転する。そして、太陽ギヤ２７が回転することにより、複数の遊星ギヤ２９が自転しながらリングギヤ２８に沿って公転し、この遊星ギヤ２９の公転に伴ってキャリア３０が回転する。これにより、モータ部２の回転が減速されて逆入力遮断クラッチ４の入力部材１９へ伝達される。
【００４８】
逆入力遮断クラッチへの入力後の動作については、上記実施形態での動作と同様であるので説明を省略する。従って、本実施形態においても、モータ部から入力される駆動時は、逆入力遮断クラッチのロック状態が解除されて、出力部材の回転が許容される。これに対して、モータ部から入力されない停止時は、逆入力遮断クラッチがロック状態となっていることで、出力側から逆入力が作用したとしても、逆入力に対するすべりねじ機構のナットの正逆両方向の回転が防止される。
【００４９】
また、本実施形態では、図６に示すように、少なくともねじ軸１４が最大限に後退した状態で、ねじ軸１４はモータ部２と減速機２６と逆入力遮断クラッチ４との内径側に配置される。このようにすることで、モータ部２と減速機２６と逆入力遮断クラッチ４との内径側空間をねじ軸１４の収容スペースとして利用でき、上記実施形態と同様に、電動アクチュエータの軸方向寸法の小型化を図りつつ、ねじ軸の軸方向の最大移動距離を長く確保することができる。
【００５０】
以上のように、本発明の各実施形態に係る電動アクチュエータにおいては、運動変換機構としてボールねじ機構よりも逆入力に対する制動力の高いすべりねじ機構を用い、さらに、逆入力遮断クラッチを備えていることで、モータ部に対する通電が止められた状態（停止時）であっても、逆入力に対するすべりねじ機構の回転を高度に防止できるようになる。しかも、逆入力遮断クラッチは、逆入力に対する一方向の回転だけではなく正逆両方向の回転を防止するので、電動アクチュエータに振動が伝達されたとしても、逆入力遮断クラッチによるロック状態を確実に保持することができる。このように、本発明に係る電動アクチュエータは、振動が生じる箇所で用いられても逆入力に対して高い制動力を発揮することができるので、例えば、二輪車を含む自動車用の電動パーキングブレーキ機構や、車高調整装置などに好適である。
【００５１】
一方で、本発明に係る電動アクチュエータは、動力伝達効率の良くないすべりねじ機構を用いているので、ボールねじ機構を用いた電動アクチュエータに比べて、モータ部からの動力伝達効率（正効率）が低下する傾向にある。そのため、すべりねじ機構自体の逆入力防止機能は多少低下するが、動力伝達効率（正効率）を向上させるために、ねじ軸とナットの少なくとも一方のねじ溝の表面にＰＴＦＥ等を焼き付けるなどして、ねじ溝の表面を摩擦係数の低い摺動性樹脂で被覆してもよい。
【００５２】
また、図６に示す電動アクチュエータのように、減速機を備える構成においては、逆入力遮断クラッチを減速機よりも出力側に配置し、減速機によって減速された回転運動を逆入力遮断クラッチに入力するように構成することで、「追いつきロック」と称される現象での異音（振動）を低減することができる。「追いつきロック」とは、電動アクチュエータに対して出力側からの逆入力（反力）が作用している状態で、逆入力遮断クラッチのロック状態が解除された際に（図４に示す状態となったときに）、逆入力を受けて出力部材２０が入力部材１９と同方向にかつ入力部材１９よりも速く回転することで、ローラ２２に出力部材２０が追いつき、ローラ２２が再び出力部材２０と外輪２１との間で係合してロック状態となる現象のことである。その後、ローラ２２は、回転し続ける入力部材１９によって押し出されてロックが解除されるが、これに伴って出力部材２０が回転し始めることで再びロック状態となる、という動作を繰り返す。これにより、逆入力遮断クラッチにおける異音（振動）が発生する。
【００５３】
そこで、図６に示す実施形態では、減速機によって減速された回転運動を逆入力遮断クラッチに入力するように構成することで、逆入力遮断クラッチにおける入力部材の回転と出力部材の回転との速度差を小さくし、追いつきロックが生じた際の異音（振動）を低減できるようにしている。例えば、図８（ａ）に示すように、逆入力遮断クラッチを減速機よりも出力側に配置した構成において、モータ部からの入力回転数が２０００ｒｐｍ、出力側からの逆入力回転数が５００ｒｐｍであって、減速機によって入力回転が１／１０に減速される場合、モータ部からの入力回転（２０００ｒｐｍ）は１／１０の２００ｒｐｍに減速されて逆入力遮断クラッチに入力されるので、逆入力遮断クラッチにおける入力回転（２００ｒｐｍ）と逆入力回転（５００ｒｐｍ）との速度差は３００ｒｐｍとなる。これに対して、図８（ｂ）に示すように、逆入力遮断クラッチを減速機よりも入力側に配置した場合は、モータ部からの入力回転（２０００ｒｐｍ）が減速されずに逆入力遮断クラッチに入力され、さらに、出力側からの逆入力回転（５００ｒｐｍ）が減速機を介することで１０倍の５０００ｒｐｍに増速されて逆入力遮断クラッチに入力されるので、逆入力遮断クラッチにおける入力回転（２０００ｒｐｍ）と逆入力回転（５０００ｒｐｍ）との速度差は３０００ｒｐｍとなる。
【００５４】
このように、逆入力遮断クラッチにおける入力回転と逆入力回転との速度差は、モータ部と逆入力遮断クラッチとの間に減速機を配置し、減速機によって減速された回転運動を逆入力遮断クラッチに入力するように構成した方が小さくなるので、追いつきロック発生時のローラの再係合に伴う異音（振動）を低減することが可能となる。
【００５５】
以上、本発明に係る電動アクチュエータの実施形態について説明したが、本発明は上記実施形態に何ら限定されるものではなく、本発明の要旨を逸脱しない範囲内において、さらに種々なる形態で実施し得ることは勿論のことである。
【００５６】
上記実施形態では、電動モータとして、ステータとロータとが径方向に隙間を介して対向するように配置されたラジアルギャップ型の電動モータを例示したが、任意の構成のモータを採用することができる。例えば、ステータとロータとが軸方向に隙間をもって対向するように配置されたアキシャルギャップ型の電動モータであってもよい。
【００５７】
また、上記実施形態では、減速機として遊星ギヤ減速機を例示したが、減速機はこれに限らない。例えば、モータ部と一体的に回転する入力回転体としての太陽ローラと、太陽ローラの外周に配置された軌道リングと、太陽ローラと軌道リングとの間に回転可能に配置された遊星回転体しての複数の遊星ローラと、各遊星ローラを保持する出力回転体としてのキャリアとを有する、トラクションドライブ式の遊星減速機を採用してもよい。また、遊星減速機以外の構成を有する減速機を使用することも可能である。
【００５８】
また、逆入力遮断クラッチは、上記実施形態のものに限らない。逆入力に対するすべりねじ機構の正逆両方向の回転を防止できるものであれば、他の構成のものを適用してもよい。また、すべりねじ機構は、上記実施形態のような、ナットを回転させてねじ軸を軸方向に進退させる機構に限らず、反対にねじ軸を回転させてナットを進退させる機構であってもよい。
【符号の説明】
【００５９】
１    電動アクチュエータ
２    モータ部
３    すべりねじ機構（運動変換機構）
４    逆入力遮断クラッチ
１４  ねじ軸
１５  ナット
１９  入力部材
２０  出力部材
２１  外輪（静止部材）
２２  ローラ（ロック部材）
２６  減速機
【図１】
2019058032.tif 000003
【図２】
2019058032.tif 000004
【図３】
2019058032.tif 000005
【図４】
2019058032.tif 000006
【図５】
2019058032.tif 000007
【図６】
2019058032.tif 000008
【図７】
2019058032.tif 000009
【図８】
2019058032.tif 000010